(57)【要約】【課題】動画像データの内容が全体としてどのようなものであるかを容易に知ることができる画像再生装置を提供することを目的とする。【解決手段】本発明にかかる撮像装置は、1又は複数のシーンから構成される動画像データをそれぞれのシーンの重要度に関する情報と対応付けて記憶する記憶手段と、記憶手段に記憶されている動画像データを構成するシーンに含まれるフレームのサムネイル画像を表示可能な表示手段と、記憶手段に記憶されている動画像データのそれぞれのシーンの重要度に応じて、1又は複数のシーンに含まれるフレームのサムネイル画像を表示するよう表示手段を制御する制御手段と、を備える。【選択図】図１
2010141628.tif 000002
【特許請求の範囲】
【請求項１】
1又は複数のシーンから構成される動画像データをそれぞれのシーンの重要度に関する情報と対応付けて記憶する記憶手段と、
前記記憶手段に記憶されている動画像データを構成するシーンに含まれるフレームのサムネイル画像を表示可能な表示手段と、
前記記憶手段に記憶されている動画像データのそれぞれのシーンの重要度に応じて、1又は複数のシーンに含まれるフレームのサムネイル画像を表示するよう前記表示手段を制御する制御手段と、を備える、
画像再生装置。
【請求項２】
前記制御手段は、
前記シーンに含まれるフレームのうちの先頭のフレームのサムネイル画像を表示するよう前記表示手段を制御する、
請求項１に記載の画像再生装置。
【請求項３】
前記シーンの重要度は、前記シーンを構成する部分的シーンの重要度に基づいて決定され、前記シーンに含まれるフレームのうちの先頭のフレームは、前記シーンに含まれる複数の部分的シーンのうちの最も重要度が高い部分的シーンよりも以前のフレームとする、
請求項２に記載の画像再生装置。
【請求項４】
前記表示手段に表示されているサムネイル画像の選択を受け付ける受付手段と、
前記受付手段がサムネイル画像の選択を受け付けるのに応じて、該選択されたサムネイル画像に対応するフレームから動画像データを再生する再生手段と、をさらに備える、
請求項１〜３に記載の画像再生装置。
【発明の詳細な説明】
【技術分野】
【０００１】
本発明は、画像再生装置に関し、特に、動画像データに含まれるフレームのサムネイル画像をインデックス表示できる画像再生装置に関する。
【背景技術】
【０００２】
特許文献１は、デジタル動画像カメラを開示する。このデジタル動画像カメラは、動画サムネイルを一覧表示することができる。
【０００３】
これにより、使用者は、デジタル動画像カメラにどのような動画像ファイルが格納されているかを短時間で知ることができる。
【特許文献１】特開２００３−２３６００号公報
【発明の開示】
【発明が解決しようとする課題】
【０００４】
しかしながら、上記特許文献１に開示されているデジタル動画像カメラは、格納しているそれぞれの動画像ファイルにつき１枚のサムネイル画像を表示するだけである。従って、それぞれの動画像ファイルの内容が全体としてどのようなものであるかを知るのは困難である。
【０００５】
そこで、本発明は、動画像データの内容が全体としてどのようなものであるかを容易に知ることができる画像再生装置を提供することを目的とする。
【課題を解決するための手段】
【０００６】
上記課題を解決するために本発明にかかる撮像装置は、1又は複数のシーンから構成される動画像データをそれぞれのシーンの重要度に関する情報と対応付けて記憶する記憶手段と、記憶手段に記憶されている動画像データを構成するシーンに含まれるフレームのサムネイル画像を表示可能な表示手段と、記憶手段に記憶されている動画像データのそれぞれのシーンの重要度に応じて、1又は複数のシーンに含まれるフレームのサムネイル画像を表示するよう表示手段を制御する制御手段と、を備える。
【発明の効果】
【０００７】
本発明によれば、動画像データの内容が全体としてどのようなものであるかを容易に知ることができる画像再生装置を提供することができる。
【発明を実施するための最良の形態】
【０００８】
〔１．実施の形態１〕
〔１−１．概要〕
デジタルビデオカメラ１００は、ハードディスクドライブ１８０若しくはメモリカード２００に記録されている動画像を再生することができる。また、デジタルビデオカメラ１００は、ハードディスクドライブ１８０若しくはメモリカード２００に記録されている動画像のうちの一部のフレームを静止画として再生することもできる。
【０００９】
本発明は、このような画像再生装置において、動画像データの内容が全体としてどのようなものであるかを容易に知ることができる画像再生装置を提供すること目的としてなされた発明である。
【００１０】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、１又は複数のレンズからなる光学系１１０により形成された被写体像をＣＣＤイメージセンサー１３０で撮像する。ＣＣＤイメージセンサー１３０で生成された画像データは、画像処理部１５０で各種処理が施され、ハードディスクドライブ１８０又はメモリカード２００に格納される。以下、デジタルビデオカメラ１００の構成を詳細に説明する。
【００１１】
光学系１１０は、ズームレンズやフォーカスレンズから構成される。ズームレンズを光軸に沿って移動させることにより、被写体像の拡大、縮小をすることができる。また、フォーカスレンズを光軸に沿って移動させることにより、被写体像のピントを調整することができる。
【００１２】
レンズ駆動部１２０は、光学系１１０に含まれる各種レンズを駆動する。例えばズームレンズを駆動するズームモータや、フォーカスレンズを駆動するフォーカスモータがこれにあたる。
【００１３】
ＣＣＤイメージセンサー１３０は、光学系１１０で形成された被写体像を撮像して、画像データを生成する。ＣＣＤイメージセンサー１３０は、露光、転送、電子シャッタなどの各種動作を行う。
【００１４】
Ａ／Ｄコンバータ１４０は、ＣＣＤイメージセンサー１３０で生成されたアナログ画像データをデジタル画像データに変換する。
【００１５】
画像処理部１５０は、ＣＣＤイメージセンサー１３０で生成された画像データに対して各種処理を施す。画像処理部１５０は、ＣＣＤイメージセンサー１３０で生成された画像データに対して処理を施し、表示モニタ２２０に表示するための画像データを生成したり、ハードディスクドライブ１８０やメモリカード２００に格納するための画像データを生成したりする。例えば、画像処理部１５０は、ＣＣＤイメージセンサー１３０で生成された画像データに対してガンマ補正やホワイトバランス補正、傷補正などの各種処理を行う。また、画像処理部１５０は、所定の顔検出アルゴリズムを用いることにより、ＣＣＤイメージセンサー１３０で生成された画像データに人物の顔が含まれているか否かを検出可能である。また、画像処理部１５０は、ＣＣＤイメージセンサー１３０で生成された画像データに対して、ＭＰＥＧー４／ＡＶＣ規格に準拠した圧縮形式等により画像データを圧縮する。画像処理部１５０は、ＤＳＰやマイコンなどで実現可能である。
【００１６】
コントローラー１６０は、全体を制御する制御手段である。コントローラー１６０は、半導体素子などで実現可能である。コントローラー１６０は、ハードウェアのみで構成してもよいし、ハードウェアとソフトウェアとを組み合わせることにより実現してもよい。コントローラー１６０は、マイコンなどで実現できる。
【００１７】
バッファ１７０は、画像処理部１５０及びコントローラー１６０のワークメモリとして機能する。バッファ１７０は、例えば、ＤＲＡＭ、強誘電体メモリなどで実現できる。
【００１８】
ハードディスクドライブ１８０は、画像処理部１５０で生成された画像ファイル等のデータを格納可能である。カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１５０で生成された画像ファイル等のデータを格納可能である。
【００１９】
操作部材２１０は、使用者からの操作を受け付けるユーザーインターフェースの総称である。例えば、使用者からの操作を受け付ける十字キーや決定釦等がこれにあたる。
【００２０】
表示モニタ２２０は、ＣＣＤイメージセンサー１３０で生成した画像データが示す画像や、ハードディスクドライブ１８０やメモリカード２００から読み出した画像データが示す画像を表示可能である。
【００２１】
マイク２６０は、音声を集音する。マイク２６０により集音された音声は、ハードディスクドライブ１８０又はメモリカード２００に記録される。
【００２２】
スピーカ２７０は、ハードディスクドライブ１８０又はメモリカード２００に格納されている動画像ファイルに画像データと重畳して格納されている音声データを出力する。
【００２３】
〔１−２−２．ＨＤＤ及びメモリカードにおけるそれぞれのファイルの関係〕
ハードディスクドライブ１８０及びメモリカード２００に格納されている動画像ファイルのそれぞれの関係について図２、図３を用いて説明する。図２は、ハードディスクドライブ１８０及びメモリカード２００におけるそれぞれのファイルのディレクトリ構造を説明するための模式図である。図３は、図２で説明するそれぞれのファイルの関係を説明するための模式図である。
【００２４】
まず、ハードディスクドライブ１８０及びメモリカード２００のディレクトリ構造について図２を用いて説明する。デジタルビデオカメラ１００がＡＶＣＨＤ規格に準拠しているため、ハードディスクドライブ１８０及びメモリカード２００は、図２のようなディレクトリ構造を構成する。ハードディスクドライブ１８０及びメモリカード２００は、「ＢＤＭＶ」ディレクトリ内に「ＩＮＤＥＸ．ＢＤＭ」、「ＭＯＶＩＥＯＢＪ．ＢＤＭ」、「ＰＬＡＹＬＩＳＴ」、「ＣＬＩＰＩＮＦ」、「ＳＴＲＥＡＭ」を格納する。
【００２５】
ここで、「ＩＮＤＥＸ．ＢＤＭ」は、記録媒体にどのようなファイルが格納されているかを管理する管理ファイルである。「ＭＯＶＩＥＯＢＪ．ＢＤＭ」は、格納されている動画像ファイルの再生方法を定義しているファイルである。
【００２６】
「ＰＬＡＹＬＩＳＴ」は、拡張子が「ＭＰＬ」であるプレイリストを格納する。ここで、プレイリストとは、任意のルールに基づいて１又は複数の動画像ファイルをグループ化し、管理する管理ファイルである。例えば、デジタルビデオカメラ１００において、プレイリストは、同日に撮影された全ての動画像ファイルを一纏めにして管理する。この場合に、プレイリストは、管理している動画像ファイルの撮影日に関する情報を有している。動画像ファイルが管理されているプレイリストを参照することにより、コントローラー１６０は、動画像ファイルの撮影日を検知することができる。
【００２７】
「ＣＬＩＰＩＮＦ」は、拡張子が「ＣＰＩ」である管理ファイル（以下、ＣＰＩファイル）を格納する。ＣＰＩファイルは、拡張子が「ＭＴＳ」である動画像ファイルと１対１に対応付けられている。ＣＰＩファイルは、対応付けられた動画像ファイルに関する情報（例えば、動画像の画角に関する情報や、動画像ファイルにおけるオーディオの種類に関する情報等）を有する。
【００２８】
「ＳＴＲＥＡＭ」は、拡張子が「ＭＴＳ」である動画像ファイル（以下ＭＴＳファイル）を格納する。
【００２９】
次に上記で説明したそれぞれのディレクトリとそれぞれのファイルとの関係について図３を用いて説明する。「ＩＮＤＥＸ．ＢＤＭ」は、記録媒体に記録されているプレイリストを管理している。拡張子が「ＭＰＬ」であるプレイリストは、ＣＰＩファイルを管理する参照テーブルを有している。ＣＰＩファイルと、ＭＴＳファイルとは１対１に対応付けられている。
【００３０】
〔１−２−３．本発明との対応〕
ハードディスクドライブ１８０又はメモリカード２００は、本発明の記憶手段の一例である。なお、記憶手段に光ディスクや機器内蔵のメモリ等、その他の記録メディアを使用しても何ら問題ない。表示モニタ２２０は、本発明の表示手段の一例である。コントローラー１６０は、本発明の制御手段の一例である。
【００３１】
操作部材２１０は、本発明の受付手段の一例である。コントローラー１６０は、本発明の再生手段の一例である。
【００３２】
〔１−３．動作〕
〔１−３−１．記録動作〕
本実施の形態にかかるデジタルビデオカメラ１００における記録動作について図４を用いて説明する。図４は、本実施の形態にかかるデジタルビデオカメラ１００における記録動作を説明するためのフローチャートである。
【００３３】
使用者は、操作部材２１０のうちのモードダイヤル等を操作することにより、デジタルビデオカメラ１００を記録モードに設定することができる（Ｓ１００）。記録モードに設定されると、コントローラー１６０は、使用者により操作部材２１０のうちの撮影開始釦が押下されるまで待機する（Ｓ１１０）。
【００３４】
撮影開始釦が押下されると、コントローラー１６０は、ＣＣＤイメージセンサー１３０で生成された画像データを順次ハードディスクドライブ１８０若しくはメモリカード２００に記録させる（Ｓ１２０）。画像データの記録が開始されると、コントローラー１６０は、使用者による特徴的な操作等がされるか否かを判断する（Ｓ１３０）。「使用者による特徴的な操作等」については後述する。
【００３５】
特徴的な操作等がされていないと判断すると、コントローラー１６０は、操作部材２１０のうちの撮影停止釦が押下されたか否かを判断する（Ｓ１４０）。
【００３６】
一方、特徴的な操作等がされたと判断すると、コントローラー１６０は、その特徴的な操作がされたときにＣＣＤイメージセンサー１３０で生成された画像データと、その特徴的な操作等に割り当てられた得点とを対応付けてハードディスクドライブ１８０又はメモリカード２００に記憶させる（Ｓ１５０）。特徴的な操作等に割り当てられた得点と画像データとの対応付けについては後述する。
【００３７】
特徴的な操作等に割り当てられた得点と画像データとが対応付けてハードディスクドライブ１８０又はメモリカード２００に記憶されると、コントローラー１６０は、操作部材２１０のうちの撮影停止釦が押下されたか否かを判断する（Ｓ１６０）。
【００３８】
撮影停止釦が押下されたと判断すると、コントローラー１６０は、ハードディスクドライブ１８０又はメモリカード２００に記録された動画像データに対してインデックスを生成する（Ｓ１７０）。インデックスの生成方法については後述する。
【００３９】
インデックスを生成すると、コントローラー１６０は、生成したインデックスに基づいて、シーンの先頭位置と終了位置とを算出する（Ｓ１８０）。シーンの先頭位置と終了位置とを算出すると、コントローラー１６０は、算出した情報を動画像データと対応付けてメモリカード２００又はハードディスクドライブ１８０に記憶させる（Ｓ１８０）。
【００４０】
ハードディスクドライブ１８０又はメモリカード２００にこれらの情報を記憶させると、コントローラー１６０は記録動作を終了する（Ｓ１９０）。
【００４１】
なお、デジタルビデオカメラ１００は６０（frame／sec）の動画像データを記録する。この場合において、デジタルビデオカメラ１００は、４８（frame）ごとに得点を割り当てる。以下、この得点を割り当てる４８（frame）を部分的シーンという。
【００４２】
次に、「使用者による特徴的な操作等」、特徴的な操作等に割り当てられた得点と画像データとの対応付け、インデックスの生成方法について図５を用いて説明する。図５は、これらを説明するための模式図である。
【００４３】
本実施の形態にかかるデジタルビデオカメラ１００は、少なくとも３つの項目を基準に、生成する動画像データに対して得点を割り当てる。この得点を割り当てる基準となる項目が「使用者による特徴的な操作等」となる。
【００４４】
まず１つ目の項目は、「顔」である。画像処理部１５０がＣＣＤイメージセンサー１３０で生成された画像データに含まれている「顔」を検出した場合には、コントローラー１６０は、顔を検出した際にＣＣＤイメージセンサー１３０により生成された画像データと所定の得点とを対応付けてハードディスクドライブ１８０又はメモリカード２００に記憶させる。
【００４５】
２つ目の項目は、「カメラワーク」である。ここでカメラワークとしては、「フィックスショット」や「手振れ」や「ズーム」などがある。ここで、フィックスショットとは、特定の被写体像を一定時間以上継続して撮像し続ける動作である。このようなフィックスショットにより生成された場面は重要である場合が多い。従って、その際にＣＣＤイメージセンサー１３０により生成された画像データに対しては所定の得点を与える。また、手振れとは、使用者が動画像撮像を行う際にデジタルビデオカメラ１００に振動を与えてしまうことにより、撮像画像に与えてしまう振れのことである。このような手振れにより生成された場面は撮影を失敗した場面であり、あまり重要な場面ではないことが多い。従って、その際にＣＣＤイメージセンサー１３０により生成された画像データからは所定の得点を減点する。また、ズームとは、撮像している画像のうちの所定の被写体像を拡大して撮像する動作である。このようなズーム動作により生成された場面は重要である場合が多い。従って、その際にＣＣＤイメージセンサー１３０により生成された画像データに対しては所定の得点を与える。
【００４６】
３つ目の項目は、「マイク」である。マイク２６０から集音される音声の度合いにより、その際にＣＣＤイメージセンサー１３０で生成された画像データに対して所定の得点を対応付ける。マイク２６０が大きな歓声を集音したような場面は重要な場面であることが多い。従って、その際にＣＣＤイメージセンサー１３０により生成された画像データに対しては、その歓声の度合いに応じて、所定の得点を与える。
【００４７】
このように「使用者による特徴的な操作等」に対して所定の得点を与えていくことにより、図５に示すように、動画像データの４８（frame）ごとに得点が対応付けられる。
【００４８】
次にインデックスの生成方法について説明する。使用者により録画停止釦が押下されると、コントローラー１６０は、ハードディスクドライブ１８０又はメモリカード２００に記録した動画像データに対してインデックスを生成する。動画像データのそれぞれの部分的シーンごとの得点を比較し、得点の高い方から順に所定の数のシーンに対してインデックスを割り振る。例えば、図５の場合においては、生成した動画像データを構成するシーンのうち得点の高いものから優先的に５つの部分的シーンを取り出すこととする。従って、得点の高い５つの部分的シーンに対しては、１〜５のインデックスが割り振られることとなる。
【００４９】
なお、本実施の形態では、インデックスが割り振られた部分的シーンの前後２つの部分的シーンまでを含んだ単位を「シーン」とすることとした。従って、本実施の形態において、コントローラー１６０は、インデックスを割り当てられた部分的シーンの先頭フレームの９６（frame）前のフレームをシーンの先頭位置として算出する。また、コントローラー１６０は、インデックスを割り当てられた部分的シーンの最終フレームの９６（frame）後のフレームをシーンの終了位置として算出する。これは、使用者が重要度の高い部分的シーンを観賞する場合に、部分的シーンよりも前のフレームから再生する事によって部分的シーンを認識しやすく、一層観賞を楽しめる様にする為である。
【００５０】
〔１−３−２．インデックス表示〕
本実施の形態にかかるデジタルビデオカメラ１００における動画像データのインデックス表示について図６、図７を用いて説明する。図６は、インデックス表示モードを説明するためのフローチャートである。図７は、動画像データに基づいてインデックス表示を生成する方法を説明するための模式図である。
【００５１】
使用者は、操作部材２１０を操作することにより、デジタルビデオカメラ１００をインデックス表示モードに設定することができる（Ｓ２００）。インデックス表示モードとは、動画像データを構成する多数のフレームのうちのいくつかのフレームを抜き出し、抜き出したフレームのサムネイル画像を表示モニタ２２０に一覧表示するモードである。
【００５２】
インデックス表示モードに設定されると、コントローラー１６０は、インデックス表示の対象となる動画像データにインデックスが割り当てられているシーンが存在するかを探索する（Ｓ２１０）。インデックスが割り当てられているシーンが存在しないと判断すると（Ｓ２２０）、コントローラー１６０は、インデックスが割り当てられているシーンの探索を終了する（Ｓ２３０）。
【００５３】
一方、インデックスが割り当てられているシーンが存在すると判断すると（２２０）、コントローラー１６０は、インデックスが割り当てられているシーンのうちの先頭フレームのサムネイル画像を生成する（Ｓ２４０）。サムネイル画像を生成すると、コントローラー１６０は、生成したサムネイル画像を表示モニタ２２０に表示させる（Ｓ２５０）。
【００５４】
サムネイル画像を表示モニタ２２０に表示させると、コントローラー１６０は、インデックスが割り当てられている他のシーンが存在するかを探索する（Ｓ２１０）。このようにして、デジタルビデオカメラ１００は、インデックスが割り振られている全てのシーンについてサムネイル画像を生成し、生成した全てのサムネイル画像を表示モニタ２２０に一覧表示する。例えば、図７に示すように、インデックスが割り当てられているシーンの先頭フレームのサムネイル画像を一覧表示する。
【００５５】
ここで、使用者は、操作部材２１０を操作することにより、選択枠３００を移動させることができる。使用者は、選択枠３００を移動させることにより、サムネイル画像を選択することができる。使用者がサムネイル画像を選択すると、コントローラー１６０は、選択されたサムネイル画像に対応するフレームから動画像データの通常再生を開始する。ここで、動画像データの通常再生とは、動画像データを連続的に再生することである。
【００５６】
このように、本実施の形態にかかるデジタルビデオカメラ１００は、インデックスを割り当てられたシーンのみのサムネイル画像を一覧表示させることができる。これにより、使用者は、動画像データに含まれる重要なシーンを一覧することができる。
【００５７】
また、本実施の形態にかかるデジタルビデオカメラ１００は、インデックス表示モードにおいて、シーン内の最も得点が高いフレームのサムネイル画像ではなく、シーン内の先頭フレームのサムネイル画像を表示する。これにより、サムネイル画像を選択し、動画像データの再生を開始する際に、動画像の再生開始フレームと一覧表示されているサムネイル画像とが同一のものとすることができる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００５８】
実施の形態１にかかるデジタルビデオカメラ１００は、インデックスが割り当てられたシーンのうちの先頭フレームのサムネイル画像をインデックス表示モードが選択される度に生成することとした。しかしながら、必ずしもこのような構成である必要はない。例えば、インデックスが割り当てられたシーンの先頭フレームのサムネイル画像を予め生成しておき、インデックス表示モードが選択された際に、予め容易されているサムネイル画像を表示するような構成であってもよい。
【００５９】
また、実施の形態１にかかるデジタルビデオカメラ１００は、特徴情報記録（図４のＳ１５０）、およびインデックス作成（Ｓ１７０）は動画像データの記録時に生成する様に説明したが、これについても必ずしもこの様な構成に限定されるものではない。例えば、インデックス作成（Ｓ１７０）結果のみを記録する構成であったり、または、記録時に特徴情報のみを記録（Ｓ１５０）し、インデックス作成（Ｓ１７０）はインデックス表示モード時に作成してもよい。つまり、インデックス表示モードにおいてインデックスが割り当てられているシーンが特定できるのであれば、どの様な構成であってもよい。
【００６０】
また、実施の形態１にかかるデジタルビデオカメラ１００は、４８（frame）ごとにシーンの重要度に関する得点を割り当てる構成としたが、必ずしもこのような構成である必要はない。例えば、１０（frame）ごとに得点を割り当ててもよいし、１２０（frame）ごとに得点を割り当ててもよい。
【００６１】
また、実施の形態1にかかるデジタルビデオカメラ１００は、「使用者による特徴的な操作等」は「顔」、「カメラワーク」、「マイク」の３項目で説明したが、それ以外の条件で得点付けしても良い。例えば、使用者が操作部材２１０で重要部を指定させるように構成しても良いし、フォーカスがずれている等の部分を減算する様にしても良く、つまり、部分的シーンの重要度が判断できるものであれば何でも良い。
【００６２】
また、実施の形態１にかかるデジタルビデオカメラ１００は、インデックスを割り当てた部分的シーンの前後２つの部分的シーンまでの単位をシーンとすることとしたが、必ずしもこのような構成である必要はない。例えば、インデックスを割り当てた部分的シーンの前３つの部分的シーンと後ろ１つの部分的シーンまでをシーンとすることとしてもよいし、インデックスを割り当てた部分的シーンの前後３つの部分的シーンまでをシーンとしてもよい。要するに、シーンは、インデックスが割り当てられた部分的シーンを含むものであれば何でもよい。
【００６３】
また、実施の形態１にかかるデジタルビデオカメラ１００は、ＡＶＣＨＤ規格において説明したが、その他の規格にも適用できるのは言うまでもない。インデックスが割り当てられているシーンに関する情報を、例えば、メーカーオプションの領域等に記録し、インデックス表示モードで、その情報を読み出す様に構成すれば、同様に実現可能である。
【産業上の利用可能性】
【００６４】
本発明は、デジタルビデオカメラやデジタルスチルカメラなどに適用可能である。
【図面の簡単な説明】
【００６５】
【図１】デジタルビデオカメラ１００のブロック図
【図２】ハードディスクドライブ１８０及びメモリカード２００におけるそれぞれのファイルのディレクトリ構造を説明するための模式図
【図３】ハードディスクドライブ１８０又はメモリカード２００におけるそれぞれのファイルの関係を説明するための模式図
【図４】デジタルビデオカメラ１００における記録動作を説明するためのフローチャート
【図５】特徴的な操作等に割り当てられた得点と画像データとの対応付け、インデックスの生成方法について説明するための模式図
【図６】インデックス表示モードを説明するためのフローチャート
【図７】動画像データに基づいてインデックス表示を生成する方法を説明するための模式図
【符号の説明】
【００６６】
１００    デジタルビデオカメラ
１１０    光学系
１２０    レンズ駆動部
１３０    ＣＣＤイメージセンサー
１４０    Ａ／Ｄコンバータ
１５０    画像処理部
１６０    コントローラー
１７０    バッファ
１８０    ハードディスクドライブ
１９０    カードスロット
２００    メモリカード
２１０    操作部材
２２０    表示モニタ
２６０    マイク
２７０    スピーカ
３００    選択枠
【図１】
2010141628.tif 000003
【図２】
2010141628.tif 000004
【図３】
2010141628.tif 000005
【図４】
2010141628.tif 000006
【図５】
2010141628.tif 000007
【図６】
2010141628.tif 000008
【図７】
2010141628.tif 000009